(57)【要約】  【課題】新婚夫婦が将来のライフプランを立て易いように、かつ実現し易いように、時系列に一目で分かりやすく絵説できる商品を実現する。  【解決手段】新婚夫婦や世帯主の年齢を時系列に表示する欄と対応する位置に、年齢ごとのライフイベントを写真や絵図で表現するライフイベント欄を設けてあるため、予め綿密なライフプランを立てた上で、所用の年齢欄と対応する位置に、その年齢時のライフイベントを写真や絵図で表現しておくことによって、それぞれの年齢ごとのライフイベントを一望でき、表示期間内のライフプランを容易に把握でき、ライフプラン通りに実行することも容易になり、ライフプランの実現性が高くなる。【選択図】図５
2011022948.tif 000002
【特許請求の範囲】
【請求項１】
新婚夫婦又は世帯主の年齢を時系列に表示する欄と対応する位置に、年齢ごとのライフイベントを写真や絵図で表現するライフイベント欄を設けてあることを特徴とする新婚ライフプラン絵説手段。
【請求項２】
住宅などの不動産を入手するための資金貯蓄計画や入手時期を表現する欄及び／又は子どもの誕生やライフイベントを表現する欄を設けてあることを特徴とする請求項１に記載の新婚ライフプラン絵説手段。
【請求項３】
世帯主のバイオリズム及び／又は風水に関する情報を表示すると共に、主要なライフイベントを写真や絵図で表現する欄を設けてあることを特徴とする請求項１または請求項２に記載の新婚ライフプラン絵説手段。
【請求項４】
元号及び／又は西暦の年度を前記年齢の表示と対応して表示する欄を設けてあることを特徴とする請求項１、請求項２または請求項３に記載の新婚ライフプラン絵説手段。
【請求項５】
少なくとも第１子が誕生した場合、少なくとも第１子の足裏及び／又は掌をインクや墨、塗料などの転写手段で転写できる領域を設けてあることを特徴とする請求項１から請求項４までのいずれかに記載の新婚ライフプラン絵説手段。
【発明の詳細な説明】
【技術分野】
【０００１】
本発明は、新婚夫婦が将来のライフプランを立て易いように一目で分かりやすく絵説できる商品を実現するものである。
【背景技術】
【０００２】
特許文献１に記載のように、ブライダルパッケージシステムとして、挙式、披露宴その他に要する諸費用の削減と打ち合わせ等に要する時間の浪費をなくし、挙式予定のカップル又は単身者が予定している金額で、希望する雰囲気と内容の挙式、披露宴、二次会等について一括したプランを提供するために、ホームページを開設し、そのホームページ上で、挙式と挙式に伴う披露宴、二次会の演出、運営、費用の算出その他を一括して立案、掲示を行う事業体と、事業体の業務遂行に協力し、提携する、国内外の各地域における提携業者と、端末又は携帯電話で前記事業体のホームページにアクセス可能な挙式予定のカップル又は単身者である顧客により構成される発明が提案されている。
【先行技術文献】
【特許文献】
【０００３】
【特許文献１】特開２００４−１７８５２７
【発明の概要】
【発明が解決しようとする課題】
【０００４】
しかしながら、この提案は、挙式予定のカップルのために、挙式や披露宴、二次会等に関する一括したプランの提供であって、結婚生活から長い将来にわたるライフプランを立て易いようにした配慮は皆無であり、一目で分かりやすく絵説する配慮も見当たらない。
近年のように不況が深刻になると、産業界や金融界が不安定となり、新婚夫婦が長いライフプランを立てることも困難な情勢である。だからこそ、結婚当初から綿密なライフプランを立てかつ逐次実行することが、長い将来の家庭生活を計画的にかつ安定させ、ライフプランを確実に実現するためには不可欠である。
本発明の技術的課題は、このような観点から、新婚夫婦が将来のライフプランを立て易いように、かつ実現し易いように、時系列に一目で分かりやすく絵説できる商品を実現することにある。
【課題を解決するための手段】
【０００５】
本発明の技術的課題は次のような手段によって解決される。請求項１は、新婚夫婦又は世帯主の年齢を時系列に表示する欄と対応する位置に、年齢ごとの家族のライフイベントを写真や絵図で表現するライフイベント欄を設けてあることを特徴とする新婚ライフプラン絵説手段である。
このように、新婚夫婦又は世帯主の年齢を時系列に表示する欄と対応する位置に、年齢ごとの家族のライフイベントを写真や絵図で表現するライフイベント欄を設けてあるため、予め綿密な計画を立てた上で、所用の年齢表示欄と対応する位置に、その年齢時のライフイベントを写真や絵図で表現しておくことによって、それぞれの年齢ごとのライフイベントを一望でき、表示期間内のライフプランを時系列に容易に把握でき、かつライフプラン通りに実行することも容易になり、ライフプランの実現性が高くなる。
【０００６】
請求項２は、住宅などの不動産を入手するための資金貯蓄計画や入手時期を表現する欄及び／又は子どもの誕生やそのライフイベントを表現する欄を設けてあることを特徴とする請求項１に記載の新婚ライフプラン絵説手段である。
このように、住宅などの不動産を入手するための資金貯蓄計画や入手時期を表現する欄を設けてあるため、夫の年齢ごとの不動産入手用の資金貯蓄計画が容易になると共に入手時期も表現されているので、一目で視覚的にライフプランの全貌を把握でき、計画の実行が容易になり、実現性が高くなる。
また、子どもの誕生や子どものライフイベントを表現する欄を設けてあるため、子どもの成長時期に応じた子どものライフイベントを一望することで、夫婦や夫の年齢ごとのライフプランが立てやすく、かつ実現性が高くなる。
なお、前記の家族のライフイベント欄や子どものライフイベント欄は、イベント時の写真を貼り易いように四角枠状に形成しておくと、実現した写真を体裁良く貼って楽しむのに便利である。
【０００７】
請求項３は、世帯主のバイオリズム及び／又は風水に関する情報を表示すると共に、家族の主要なライフイベントを写真や絵図で表現する欄を設けてあることを特徴とする請求項１または請求項２に記載の新婚ライフプラン絵説手段である。
このように、世帯主のバイオリズムや風水に関する情報を表示すると共に、家族の主要なライフイベントを写真や絵図で表現する欄を設けてあるため、世帯主のバイオリズムや風水の状況に応じたライフイベントを容易に立てて一望できるので、バイオリズムや風水状況に則ったライフプランの立案と実現が容易になる。
【０００８】
請求項４は、元号及び／又は西暦の年度を前記年齢と対応して表示する欄を設けてあることを特徴とする請求項１、請求項２または請求項３に記載の新婚ライフプラン絵説手段である。
このように、平成などの元号及び／又は西暦の年度を前記年齢と対応して表示する欄を設けてあるため、以上のようなライフイベントやライフプランを年度毎に対応させて時系列に一望することも容易で、年度毎のライフプランの実現がより確実かつ容易になる。
【０００９】
請求項５は、少なくとも第１子が誕生した場合、少なくとも第１子の足裏及び／又は掌をインクや墨、塗料などの転写手段で転写できる領域を設けてあることを特徴とする請求項１から請求項４までのいずれかに記載の新婚ライフプラン絵説手段である。
このように、少なくとも第１子が誕生した場合、少なくとも第１子の足裏及び／又は掌をインクなどの転写手段で転写できる領域を設けてあるため、夫婦の最大の出来事である子どもの誕生を足裏や掌の転写パターンを視認することで希望がわき、以降のライフプランの実現に向けた意欲が増大し、ライフプランの実現性が高まる。なお、誕生した子どもや夫婦の写真を貼る領域を近くに用意しておくこともできる。
【発明の効果】
【００１０】
請求項１のように、新婚夫婦や世帯主の年齢を時系列に表示する欄と対応する位置に、前記年齢ごとの家族のライフイベントを写真や絵図で表現するライフイベント欄を設けてあるため、予め綿密な計画を立てた上で、所用の年齢欄と対応する位置に、その年齢時のライフイベントを写真や絵図で表現しておくことによって、それぞれの年齢ごとのライフイベントを一望でき、表示期間内のライフプランを時系列に容易に把握でき、かつライフプラン通りに実行することも容易になり、ライフプランの実現性が高くなる。
【００１１】
請求項２のように、住宅などの不動産を入手するための資金貯蓄計画や入手時期を表現する欄を設けてあるため、世帯主の年齢ごとの不動産入手用の資金貯蓄計画が容易になると共に入手時期も表現されているので、一目で視覚的にライフプランの全貌を把握でき、計画の実行が容易になり、実現性が高くなる。
また、子どもの誕生や子どものライフイベントを表現する欄を設けてあるため、子どもの成長時期に応じた子どものライフイベントを一望することで、夫婦や世帯主の年齢ごとのライフプランが立てやすく、かつ実現性が高くなる。
【００１２】
請求項３のように、世帯主のバイオリズムや風水に関する情報を表示すると共に、家族の主要なライフイベントを写真や絵図で表現する欄を設けてあるため、世帯主のバイオリズムや風水の状況に応じたライフイベントを容易に立てて一望できるので、バイオリズムや風水状況に則ったライフプランの立案と実現が容易になる。
【００１３】
請求項４のように、元号及び／又は西暦の年度を前記年齢と対応して表示する欄を設けてあるため、以上のようなライフイベントやライフプランを年度毎に対応させて時系列に一望することも容易で、年度毎のライフプランの実現がより確実かつ容易になる。
【００１４】
請求項５のように、少なくとも第１子が誕生した場合、その足裏や掌をインクなどの転写手段で転写できる領域を設けてあるため、夫婦の最大の出来事である子どもの誕生を足裏や掌の転写パターンを視認することで希望がわき、以降のライフプランの実現に向けた意欲が増大し、ライフプランの実現性が高まる。
【図面の簡単な説明】
【００１５】
【図１】ライフプラン期間を表示するページである。
【図２】内容目次を示すページである。
【図３】新郎新婦のプロフィールを示すページである。
【図４】ライフプラン期間である１０年間の将来設計における主な出来事を図示するページである。
【図５】世帯主の年齢ごとのライフプランを絵図や絵図代用写真で表現するページである。
【図６】収入と支出をグラフ化した資金計画図である。
【図７】幼稚園入園から大学卒業までに要する教育資金を示すイメージ図である。
【図８】風水データに基づいた不動産入手目安を表示した図である。
【図９】風水データに基づいたカラーポイントを表示した図である。
【図１０】本発明による新婚ライフプラン絵説手段のメリットを「まとめ」として要約表示したページである。
【発明を実施するための形態】
【００１６】
次に本発明による新婚ライフプラン絵説手段が実際上どのように具体化されるか実施形態を説明する。この実施形態は、１０ページから成る冊子状になっているが、カレンダー状やバインダー型式、ルーズリーフ式、写真立て式なども可能である。なお、表表紙と裏表紙は図示を省いてある。図１〜図１０は、それぞれ各ページに対応しており、第１ページ目の印刷媒体Ｐ１となる厚紙には、図１のように数字「１０」を表示し、１０年分のライフプランであることを示している。なお、目立つように大きめの表示になっている。
第２ページ目の印刷媒体Ｐ２を示す図２は、内容目次のイメージであって、１番目はご本人プロフィール、２番目は結婚時の希望プラン、３番目は風水バイオリズム＆ライフイベント、４番目はライフプラン、５番目はあとがき、をそれぞれ示している。
【００１７】
図３は、ご本人プロフィールを例示する印刷媒体Ｐ３の図で、開いた冊子を示す図の左側のページに新郎「山田太郎」のプロフィールを示し、開いた右側のページに新婦「山田花子」のプロフィールを例示してある。なお、このプロフィールは、表１に示す家族構成と一致している。
【表１】
2011022948.tif 000003
図４は１０年間の将来設計における主な出来事を、挙式時の夢として絵で示したイメージで、挙式時の新郎新婦の図、１年目に可愛い赤ちゃんを授かった図、赤ちゃんが成長したときをイメージした図で、女子の場合と男子の場合を図示してある。さらに、年に１回は家族旅行を実現したいというイメージ図、５年に１回は車を買い替えたいので新車の図、いずれは１戸建てのマイホームを新築したいので、そのマイホームのイメージを絵示してある。
【００１８】
図５が本発明の主要部で、世帯主の年齢ごとのライフプラン等を写真や絵図で表現している。すなわち、ほぼ中央部において横表示で、年齢を時系列に表示する年齢欄１を設けてある。
この年齢欄１の下側には、年齢欄１と対応するように、各年齢ごとのライフイベントを写真や絵図で表現するためのライフイベント欄２を設けてある。図示例では、旅行先で泳いでいる絵図や新車の絵図、新居の鍵（キー）の絵図、大学進学などの絵図を表現してある。
このように絵図や写真で表現する欄２と平行して、旅行計画を表記する旅行記載欄３を設けておくのがよい。年に１回は旅行をしたいからである。
【００１９】
旅行計画の欄３の下側には、子どもの誕生やその子の主なライフイベントを表現する子どもイベント欄４を設けてある。すなわち、世帯主となる新郎の年齢に対応して、第１子誕生、その子の保育園入園、第２子誕生、その子の保育園入園、幼稚園入園、第１子の小学校入学や第２子の幼稚園入園、小学校入学などを表示してある。第２子が誕生したら第１子と第２子について並行して表示できるように、上下２段に分割してある。第３子まで表示する場合は、３段表示可能に３分割することもできる。
【００２０】
計画旅行欄３や子どもイベント欄４は、実際の旅行や子どもイベントの写真を撮っておいて、該当欄の上に貼っておくことで、計画が実際にはどのような内容になったかを表現し、後で確認し楽しむことができる。従って、計画旅行欄３や子どもイベント欄４は、写真を接着したり糊付けできるような紙質が好ましく、剥離性でないことが望ましい。
従って、計画旅行欄３や子どもイベント欄４は、イベント時の写真を貼る際の位置決めが容易なように四角枠状に形成しておくと、実現したライフイベントの写真を体裁良く貼って楽しむのに便利である。なお、この計画旅行欄３や子どもイベント欄４と同じサイズの窓穴を開けたテンプレートを付録に設けておくと、貼り付ける写真をカットする際に便利である。
子ども欄４の下側には、不動産欄５を設けてあり、不動産を入手するための資金の貯蓄計画や入手時期を表現可能としてある。住宅を入手するのであれば、購入時期の欄に、購入住宅の図を表示しておくと分かりやすい。
【００２１】
年齢欄１の上側には、年齢欄１と対応するように、世帯主の各年齢ごとのバイオリズムを表示するバイオリズム欄６を設けることによって、各年齢ごとのバイオリズムを階段状で表現してある。波形で表現してもよい。なお、この波形や階段状のバイオリズムの領域を黄色などの色違いで表現し、カラフルに華やかに見せるのが良い。
バイオリズムに加えて、風水に関する状況を表示するのもよい。そして、バイオリズムや風水の状態を勘案して、主要なライフイベントを計画すると共に写真や絵図で表現してある。例えば、結婚や不動産購入に良い時期、健康で仕事運が吉、資格取得に好適な時期、次の不動産購入に良い時期、などを絵図で表現してある。なお、この主要なライフイベント表現欄７は、前記のバイオリズム表現欄６の領域内に表現することができる。
【００２２】
バイオリズム欄６の上側には、西暦と平成などの元号の年度を算用数字で併記してある。すなわち、西暦欄８と平成欄９を２段表示してある。このように、西暦や元号の年度を年齢に対応して併記してあるので、年齢と各年度を対応させてライフプランを立てたり、進捗状況を把握し確認できる。
前ページの裏面は空いていて使用されないので、この不用スペースを利用して、子ども足型や手型を転写できる。すなわち、第１子が誕生した場合に、その第１子の足裏や掌をインクや墨、塗料などの転写手段で転写しておくと、可愛いわが子の足型や手型を眺めながらライフプランの進捗状況を再確認でき、また将来に対するライフプランの実現に向けて意欲的となり、以後の人生が明るくなる。
足型や手型欄には、足型や手型を転写するための領域を分かりやすく鎖線や細線、薄い色などで表示しておくのが良い。転写時の赤ちゃんと両親の写真を貼る欄も用意しておくのがよい。
なお、子どもの誕生日と夫婦の年齢を併記できる欄を設けておくと、以後のライフプランの変更や進捗状況の掌握にも便利である。
同様にして、第２子、第３子用も用意しておく。同じページでもよいし、図５の印刷媒体Ｐ５の裏面に用意しておいてもよい。
【００２３】
図５の以上のような表示は、表２に示すデータに基づいて絵図や写真で表現したものである。表２の横欄は、１年ごとの経過表示欄、西暦の年度、世帯主である夫の年齢、妻の年齢、第１子年齢、第２子年齢、主なライフイベント、備考（バイオリズム表示などに利用）の順である。
【表２】
2011022948.tif 000004
従って、現在、１年後、２年後…の時系列で、前記の横欄に対応する内容を記入していく。このようにして完成した表２の内容を絵図や写真で表現すると、図５のようになる。すなわち、夫の年齢欄の内容を図５の世帯主年齢欄１に表示してあり、第１子、第２子の主なライフイベント欄の内容を図５の子どもイベント欄４に表示してある。
備考欄の内容は、図５のバイオリズム欄６中の主要なライフイベント絵図欄７に表現してある。
【００２４】
表３は子どもの教育資金で、左側が第１子、右側が第２子である。第１子、第２子とも、幼稚園入園時から大学卒業までに要する費用が、各年度ごとに記入されている。この教育資金に養育費を足した金額を、図６において教育費（養育費）として＊印の折れ線グラフで表示してある。幼稚園入園から大学卒業までに要する教育資金を絵図で表示したのが図７である。
【表３】
2011022948.tif 000005
図６にも図５の年齢欄１と西暦欄８と元号欄９を設けると共に、各年齢ごとの支出と収入を棒グラフで示してある。１０が支出グラフであり、１１が収入グラフである。この支出グラフ１０は、表５に示す各年齢ごとの支出と表６に示す各歳ごとの支出をグラフ化したものである。また、収入グラフ１１は、表４に示す各年齢ごとの収入をグラフ化したものである。
【表４】
2011022948.tif 000006
【表５】
2011022948.tif 000007
【表６】
2011022948.tif 000008
なお、†印の折れ線グラフは、住宅資金を表示している。
【００２５】
表７は、新郎の風水データであり、表８は新婦の風水データである。表９は新郎本人のエネルギーに関するデータであり、表１０は新婦自身のエネルギーに関するデータである。
これらのデータに基づいて、図５におけるバイオリズム表現欄６や図８の不動産入手決定、図９に示すカラーポイントの表示の内容が決定される。
【表７】
2011022948.tif 000009
【表８】
2011022948.tif 000010
【表９】
2011022948.tif 000011
【表１０】
2011022948.tif 000012
以上の表１〜表１０は、別冊のデータ集として、利用者に提供する。
【００２６】
図１０は、本発明による新婚ライフプラン絵説手段の「まとめ」として、最終ページの印刷媒体Ｐ１０にメリットを要約し表記したものである。
以上の表記や絵図は印刷の文字や絵図でもよいが、手書きでも可能である。各印刷媒体Ｐ１〜Ｐ１９は、用紙や厚紙、木製の薄板、合成樹脂板などが適しているが、汚れにくいように合成樹脂膜をラミネート加工してもよい。ただし、写真はラミネート膜の上に貼り難いので、後で旅行やイベントの写真を撮って貼る計画旅行欄３や子どもイベント欄４は、ラミネート加工しない方がよい。
【産業上の利用可能性】
【００２７】
以上のように、本発明によると、新婚夫婦や世帯主の年齢と対応して、年齢ごとの家族のライフイベントを写真や絵図で表現したり、住宅などの不動産を入手するための資金貯蓄計画や入手時期を表現したり、子どもの誕生や子どものライフイベントを表示可能としたため、新婚時以降のライフプランが絵図や絵図代用の写真で容易に分かりやすく表現できる。
その結果、ライフプランを一望して年齢ごとに容易に理解でき、かつライフプランの進捗状況や達成状況などを容易に把握し、確認できるので、ライフプラン通りの人生を送ることが容易で、幸福な人生を実現できる。
従って、この新婚ライフプラン絵説手段を冊子やカレンダー型、ルーズリーフ型、写真立て型、ファイル型などの商品にして、新婚夫婦に提供することによって、ライフプランが容易になり、かつ容易に実行可能となり、人生の門出に最適でぴったりの人生案内として重宝される。
【符号の説明】
【００２８】
Ｐ１〜Ｐ１０  絵図や写真の表示媒体（紙や合成樹脂シート、薄板など）
１  年齢時系列欄
２  家族のライフイベント欄
３  家族の計画旅行欄
４  子どもイベント欄
５  不動産欄
６  バイオリズム欄
７  主要ライフイベント図示欄
８  西暦欄
９  元号欄
１０  支出グラフ
１１  収入グラフ
【図１】
2011022948.tif 000013
【図２】
2011022948.tif 000014
【図３】
2011022948.tif 000015
【図４】
2011022948.tif 000016
【図５】
2011022948.tif 000017
【図６】
2011022948.tif 000018
【図７】
2011022948.tif 000019
【図８】
2011022948.tif 000020
【図９】
2011022948.tif 000021
【図１０】
2011022948.tif 000022